(57)【要約】【課題】両面実装基板に関し、表裏実装面に実装可能な電子回路ユニットの挿入を正確に規制することを目的とする。【解決手段】表裏に電子回路ユニット１の実装面を有する両面実装基板であって、  電子回路ユニット１の実装領域には、表裏を貫通し、一面側に実装された電子回路ユニット１の凸側規制識別部２Ａにより押動されて反対面側に突出し、反対面側において、前記突出部に嵌合可能な凹側規制識別部２Ｂを備えた電子回路ユニット１の実装のみを許容するキーピン３を備えて構成する。【選択図】  図３
2006186006.tif 000002
【特許請求の範囲】
【請求項１】
表裏に電子回路ユニットの実装面を有する両面実装基板であって、
電子回路ユニットの実装領域には、表裏を貫通し、一面側に実装された電子回路ユニットの凸側規制識別部により押動されて反対面側に突出し、反対面側において、前記突出部に嵌合可能な凹側規制識別部を備えた電子回路ユニットの実装のみを許容するキーピンを備える両面実装基板。
【請求項２】
電子回路ユニットの実装領域に貫通孔を備えた基板本体と、
基板本体の表裏面に固定されるブロック体とを有し、
前記貫通孔には、基板本体の一面側に実装された電子回路ユニットの凸側規制識別部により押動されて反対面側に突出し、反対面側において、前記突出部に嵌合可能な凹側規制識別部を備えた電子回路ユニットの実装のみを許容するキーピンが摺動自在に保持される両面実装基板。
【請求項３】
キー貫通孔にキーピンを長手方向に移動自在に保持した両面実装基板と、
両面実装基板の表裏両面にプラグイン接続される電子回路ユニットとを有し、
前記電子回路ユニットには、両面実装基板への実装時にキーピンの両端が正対する凹凸いずれかの規制識別部が設けられ、
一面が凹側、反対面が凸側の規制識別部を備えた電子回路ユニットのみが実装可能な両面実装基板への電子回路ユニットの実装構造。
【請求項４】
前記規制識別部は、電子回路ユニットに固定されるコネクタの不使用コンタクト孔を利用して形成される請求項３記載の両面実装基板への電子回路ユニットの実装構造。
【発明の詳細な説明】
【技術分野】
【０００１】
本発明は、両面実装用基板に関するものである。
【背景技術】
【０００２】
表裏両面にドータボード等の電子回路ユニットを実装可能な両面実装基板としては、特許文献１に記載のものが知られている。この従来例において、両面実装基板には、表裏に固定されるコネクタにより複数のコンタクトピンが貫通状に配置される。各コネクタには、異なった種類のドータボードの挿入を規制するための誤挿入防止キー溝が設けられる。
【特許文献１】特開平１１-７４０４８号公報
【発明の開示】
【発明が解決しようとする課題】
【０００３】
しかし、上述した従来例において、両面実装基板の各々の実装面に挿入されるドータボードは個別に誤挿入防止が図られるものの、表裏に配置されるドータボードの組み合わせについては、規制することができないという問題がある。
【０００４】
すなわち、例えば、上記従来例において、表裏実装面のコネクタに各々形成される誤挿入防止キー溝は、同一位置に対応する突起を有する複数のコネクタの嵌合を許容する。しかし、これら許容されるコネクタは、一方の実装面での接続適性を個別に確認したものに過ぎず、反対面側に実装されるドータボードとの接続適性は考慮されない。
【０００５】
この結果、表裏実装面を個別に判断した場合には、接続適性があっても、表裏の組み合わせにおいて接続不能なものを排除することはできないという問題がある。
【０００６】
本発明は、以上の欠点を解消すべくなされたものであって、表裏実装面に実装可能な電子回路ユニットの挿入を正確に規制することのできる両面実装基板の提供を目的とする。
【０００７】
また、本発明の他の目的は、上記面実装基板への電子回路ユニットの実装構造の提供にある。
【課題を解決するための手段】
【０００８】
両面実装基板への電子回路ユニット１の実装は、電子回路ユニット１側、あるいは両面実装基板側、さらにはその双方に固定されたコネクタ８を介して行われる。両面実装基板の表裏に実装される電子回路ユニット１間の結線は、例えば、図１に示すように、両面実装基板に貫通するピン端子５ａを介して、あるいは両面実装基板の表裏いずれかに固定される側のコネクタ８に保持されるコンタクトピンを反対面側に貫通、突出させることにより、さらには、両面実装基板に形成されるスルーヴィア等を介して行われる。
【０００９】
キーピン３は、上記両面実装基板に画成される実装領域内に適数が配置される。このキーピン３は両面実装基板を貫通して表裏面に至り、適宜手段により板厚方向に移動自在に保持される。
【００１０】
両面実装基板に実装される電子回路ユニット１には、凹側か凸側のいずれかの規制識別部２が形成されており、キーピン３は、一面側に凸側規制識別部２Ａを有する電子回路ユニット１が実装された状態で、キーピン３の他端は他面側に突出する。
【００１１】
この状態で他面側には凸側規制識別部２Ａを備えた電子回路ユニット１は実装することができないために、表裏面との関係で、組み合わせ不可能な電子回路ユニット１の実装を確実に防止できる。
【発明の効果】
【００１２】
本発明によれば、表裏実装面に実装可能な電子回路ユニットの挿入を正確に規制することができる。
【発明を実施するための最良の形態】
【００１３】
図１ないし３に本発明の実施の形態を示す。図においてＡは両面実装基板であり、基板本体５と、基板本体５の表裏面に固定されるブロック体６とを有する。
【００１４】
基板本体５上には、ブロック体６によって後述するドータボード（電子回路ユニット１）の実装領域が画成され、当該ドータボード１実装領域には、複数のピン端子５ａ、５ａ・・が植設される。ピン端子５ａは、両端が基板本体５の表裏面に突出した状態で配置され、必要に応じ、図外の配線層に接続される。
【００１５】
この実施の形態において、ブロック体６は、中央部に上記ピン端子５ａの挿通孔６ａ、６ａ・・を備えたコネクタ部６ｂを有し、ボルト９等を使用して基板本体５の表裏面に固定される。また、ブロック体６の四隅部には、上記基板本体５側に形成される貫通孔４に連通するピン挿通孔６ｃが開設され、これら貫通孔４と、ピン挿通孔６ｃとで形成されるキー貫通孔７内に、キーピン３が長手方向、すなわち、基板本体５の板厚方向に移動自在に保持される。キーピン３をぐらつきなく保持するために、キー貫通孔７は、適宜の長さを有しており、キーピン３は、基板本体５に固定された対向する一対のブロック体６のピン挿通孔６ｃの先端間の寸法にほぼ一致する長さ寸法を有する。
【００１６】
一方、ドータボード１には、両面実装基板にプラグイン接続するためのコネクタ８が実装される。この実施の形態におけるコネクタ８は、上記ブロック体６のコネクタ部６ｂに嵌合可能な嵌合突部８ａを備える。嵌合突部８ａには、コネクタ部６ｂとの嵌合状態において両面実装基板側のピン端子５ａに圧接するコンタクト（図示せず）が収容される。
【００１７】
また、コネクタ８には、両面実装基板への接続状態においてキーピン３に正対する規制識別部２が形成される。規制識別部２は、図２（ａ）において左側に示されるように、突起状に形成されるもの（凸側規制識別部２Ａ）と、右側に示されるように、凹部として形成されるもの（凹側規制識別部２Ｂ）の２種類があり、いずれかが選択配置される。
【００１８】
キーピン３は、図２（ａ）に示すように、コネクタ８をプラグインした状態において、凸側規制識別部２Ａに対応するものの反対端が、反対面側に固定されるブロック体６のピン挿通孔６ｃから突出する。この状態から、図２（ｂ）に示すように、突出したキーピン３に凸側規制識別部２Ａが対応するコネクタ８を連結しようとしても、凸側規制識別部２Ａのプラグイン方向への移動をキーピン３が規制して連結操作を禁止する。
【００１９】
これに対し、図３に示すように、凸側規制識別部２Ａと凹側規制識別部２Ｂが各々対応するコネクタ８同士は、凸側規制識別部２Ａにより押し出されたキーピン３の先端が他面の凹側規制識別部２Ｂに吸収されるために、相互の連結が許容される。
【００２０】
以上のようにして、ブロック体６の四隅部に配置されるキーピン３に対応する全てが凹側と凸側の規制識別部２との組み合わせである場合にのみコネクタ８の嵌合、すなわち、ドータボード１の実装が可能であり、その他の場合には、いずれか一方のコネクタ８の嵌合が禁止される。この結果、両面実装基板上の表裏実装面に実装が許容されるドータボード１に嵌合が許容されるコネクタ８の対を固定しておくと、誤って異種の組み合わせを実装することが完全に防止される。
【００２１】
図４に本発明の第２の実施の形態を示す。なお、本実施の形態の説明において、上述した実施の形態と実質的に同一の構成要素は、図中に同一符号を付して説明を省略する。
【００２２】
この実施の形態において規制識別部２は、ドータボード１に固定されるコネクタ８のコンタクト孔８ｂ、８ｂ・・を利用して形成される。規制識別部２に利用されるコンタクト孔８ｂは、電気的接続に使用されないものが選択され、凸側規制識別部２Ａは、コンタクト孔８ｂを適宜手段で閉塞して形成される。これに対し、凹側規制識別部２Ｂは、コンタクト孔８ｂそのまま、あるいは必要であれば、コンタクト孔８ｂ内のコンタクトを取り除いた状態で使用される。
【００２３】
キーピン３は、基板本体５、およびコネクタ８のコンタクト孔８ｂに対応して形成されるブロック体６のピン挿通孔６ｃを貫通して両端が規制識別部２に対峙する。図４（ｃ）に示すように、一方のドータボード１のコネクタ８の規制識別部２が凸側規制識別部２Ａである場合には、キーピン３の他端が他面側のコネクタ８に突出するために、実装が不可能であり、図４（ｂ）に示すように、当該部位に凹側規制識別部２Ｂを備えたコネクタ８が固定されたドータボード１の実装のみが許容される。
【図面の簡単な説明】
【００２４】
【図１】本発明を示す図で、（ａ）は両面実装基板の断面図で、（ｂ）の１Ａ-１Ａ線断面図、（ｂ）は平面図である。
【図２】電子回路ユニットの実装状態を示す図で、（ａ）は一方の面に電子回路ユニットを実装した断面図、（ｂ）は他面側の電子回路ユニットの実装が規制された状態を示す断面図である。
【図３】電子回路ユニットの実装状態を示す図で、（ａ）は一方の面に電子回路ユニットを実装した断面図、（ｂ）は他面側の電子回路ユニットの実装が許容された状態を示す断面図である。
【図４】本発明の第２の実施の形態を示す図で、（ａ）は平面図、（ｂ）は両面に電子回路ユニットを実装した状態を示す断面図、（ｃ）は一面側の実装が不可能な状態を示す断面図である。
【符号の説明】
【００２５】
１        電子回路ユニット
２Ａ      凸側規制識別部
２Ｂ      凹側規制識別部
３        キーピン
４        貫通孔
５        基板本体
６        ブロック体
７        キー貫通孔
８        コネクタ
【図１】
2006186006.tif 000003
【図２】
2006186006.tif 000004
【図３】
2006186006.tif 000005
【図４】
2006186006.tif 000006